(57)【要約】【課題】  本考案は、瞬時に複数の被検索物の中から所望の被検索物に備えられた検索子機の表示手段を外部表示させると共に、瞬時に選出して取り出し、各検索人の指定する所定の場所まで個々に移送することが出来るだけでなく、使用済の被検索物をも複数の棚の何れかの棚の空部にランダムに収納して返却することが出来るファイルの個別検索管理装置に用いられるファイルの構造の改良に関するものである。【解決手段】  本考案は、上記課題を解決するために、汎用のバインダー１を使用する。このバインダー１は内側に２、４、６、２６、３０等複数の取付け具３が施されている。取付け具３は種々のタイプが提供されているが、いずれのタイプ、材質のものでも構わない。そして穴４を介して取付け具３に着脱自在に挟み込まれるリーフ５に上記ファイル検索用の検索子機７を装着したものである。【選択図】図１
0003125328.tif 000002
【実用新案登録請求の範囲】
【請求項１】
バインダー１の内側に設けられた取付け具３に穴４を介してリーフ５を装着し、リーフ５に検索子機７を装着して成ることを特徴とするファイルの個別検索管理装置に用いられるファイルの構造。
【請求項２】
リーフ５のバインダー１の周辺に対応する部分に筒状のポケット６を設け、上記ファイル検索用の検索子機７をそのポケット６に装着したことを特徴とする請求項１に記載のファイルの個別検索管理装置に用いられるファイルの構造。
【考案の詳細な説明】
【技術分野】
【０００１】
本考案は、複数の棚に夫々収納され、個別検索装置（コンピュータ）から検索子機への検索信号の一方向伝送か又は個別検索装置と検索子機間での検索信号及び他の信号による双方向伝送可能に構成された検索子機を個々に具備する複数の用紙収納ファイルの中から所望の用紙を収納したファイルの検索子機の表示手段を外部表示させて瞬時に検索することが出来るファイルの個別検索管理装置に用いられるファイルの構造の改良に関する。
【背景技術】
【０００２】
従来、棚に収納された多数のファイルの中から必要とするファイルを検索して取出すために用いられる個別検索管理装置用の用紙収納ファイルとして、例えば、実開昭６１−１９２３６６号公報や特開平１−９２８７２号公報所載のものが存在する。
【０００３】
前者は各バインダーの背に外側から所定巾の保持凹所を有するクリップ状のケースに収納された検索子機を装着するものであり、後者は背表紙又は裏表紙の隅部に一体に形成された筒状のポケットに検索子機を収納して検索に使用するものである。
【０００４】
そして一般にこの種の検索装置においては検索子機を装着できる専用のファイル（バインダー）が要求されるため、装置導入時にそのファイルの形態を設定し、一定のサイズ、厚みに揃えられている。ところが実際の現場では、案件毎にバインダーに保管する書面や資料等の量が異なり、簡単な案件では薄いバインダーを使用し、複雑な案件では厚いバインダーを使用したいと云う要望が少なくない。
【０００５】
しかしながら従来タイプの前者にあってはバインダーの厚みが検索子機のケースのクリップ巾に規制され、厚みが異なるバインダーを使用したいときはそれに応じたクリップ巾のケースに収納された検索子機を用意する必要がある。また後者では検索子機を収納するポケットがホルダーと一体に形成されているため、厚みが異なるバインダーを使用したいときは、別途に専用の厚みのバインダーを用意しなければない。いずれの場合でも厚みが異なるバインダーを使用したい場合はコストが高くなることは避けられない上に、異なる厚みのファイルの要望が生じた時に直ちに対応し難い欠点があった。
【特許文献１】実開昭６１−１９２３６６号公報
【特許文献２】特開平１−９２８７２号公報
【考案の開示】
【考案が解決しようとする課題】
【０００６】
本考案は、厚みの異なるファイルが必要な場合でも、大きくコストアップせず柔軟に対応できる個別検索管理装置に用いられるファイルの構造の改良を図るものである。
【課題を解決するための手段】
【０００７】
本考案は、上記課題を解決するために、汎用のバインダー１を使用する。このバインダー１は表表紙９と裏表紙９を繋ぐ背２の内側に取付け具３が施されている。取付け具３は複数のリング３ａ、３ａ・・・を開閉具１４で開閉させることにより、リーフ５の着脱が可能なもので，開閉の手段は種々のタイプが提供されているが、いずれのタイプ、材質のものでも構わない。開閉具１４を用いずに手で引っ張って開く取付け具３でも勿論構わない。また、図示した以外に、リーフ５の複数の穴４に取付け具３を通すものであれば、裏表紙９から表表紙８にベルト状の綴り具を掛け渡して書類を綴るようにしたものでも構わない。
【０００８】
他方、リーフ５には取付け具３に対応して２、４、６、１０、２６、３０等任意の数の穴４が施され、リーフ５はこの穴４を介して取付け具３に着脱自在に挟み込まれるもので、リーフ５の周辺の適所、好ましくはバインダー１から露出乃至突出する部分に筒状のポケット６を設け、上記ファイル検索用の検索子機７をそのポケット６に装着するようにしたものである。尚、ポケットの代わりに凹所に検索子機７を填め込んでも良いし、金具や両面テープ、面状テープ等で検索子機７をリーフ５に装着するようにすることも可能である。
【考案の効果】
【０００９】
本考案にあっては上述のように、ホルダー１の取付け具３に穴４を介して取付けるリーフ５に検索子機７を装着するようにしたから、現場で必要とされる厚みの任意の汎用ホルダー１を用い、そのバインダー１に挟み込んだリーフ５に検索子機７を装着することにより、任意の厚みのファイル（バインダー）をそのまま個別検索に活用できるものであり、コストを殆どアップさせることなく種々の厚みのファイルに対応することができる。
【００１０】
したがってまた、検索ファイルとして、専用のポケットが一体に成形された薄い専用ファイルの他、厚いバインダー、中くらいの厚みのバインダーでも専用ファイルと同様にポケットに検索子機を収容して検索ファイルとして使用できるものであって、種々の厚みの検索ファイルであっても簡単に採用できるため、ファイルのタイプに制約されることなく、更には現場の要望に応じたタイプのバインダーを混在させても支障なく使用できる利点がある。
【考案を実施するための最良の形態】
【００１１】
ここでリーフ５の形態としては種々のものが考えられるが、図１のものはバインダー１の背２内側に設けられた取付け具３に挟持されるものであって、取付け具３に保持される穴４を有し、書類や資料を保持するポケット１３を有し、その一辺に沿って薄角筒状のポケット６が設けられ、このポケット６にＩＤタグと称される検索子機７が挿入保持されるようになっている。検索子機７は受信部１０と発光などの表示部１１を有し、ポケット６に装着した場合、その切欠１２から受信部１０と表示部１１が露出するようになっている。
【００１２】
図２はシート状のリーフ５であって、その一辺に沿って薄角筒状のポケット６も設けられ、このポケット６には検索子機７が挿入保持されるようになっている。
【００１３】
図３は更にシンプルした例で、取付け具３の幾つかのリングに嵌る穴４を有するリーフ３に薄角筒状のポケット６が設けられ、このポケット６に検索子機７が挿入保持されるようになっている。この場合、穴４は少なくとも２個以上あれば良い。
【００１４】
上記例はいずれもポケット６に検索子機７を挿入するタイプのものを示したが、リーフ６の突出した舌片部分に検索子機７を粘着保持させても良い。また、スナップ状の止め金具や、穴とボタン、面状ファスナー等で装着するようにしても構わない。
【００１５】
検索子機７には、個々の情報が書き込まれ、そのＩＤ情報を検索し、可視光線、赤外線、電磁波、磁力線などで目的とするファイルを検索して表示することにより多数のファイルの中から特定のファイルをスムーズに取出すシステムにおいて使用される。
【００１６】
ここで個別検索装置はどのタイプでの適用できるものであるが、以下、病院で使用されるカルテファイルの個別検索管理装置に用いた場合の一実施形態を図面に従って概略を説明する。
【００１７】
図４及び図５は病院で使用されるカルテファイルを個別検索管理するための個別検索管理装置を示す。
【００１８】
１５は上記カルテファイルがランダム位置に返却保存されたバインダー１、１・・・が収容された棚で、各ファイルのデータ情報が入力された個別検索管理装置１６と接続され、当該個別検索管理装置１６を操作して取出したいファイルのデータを入力することにより、棚１５に収容された目的とするファイルの場所を表示して取出すものである。
【００１９】
その場合、ポケット６に装着された検索子機７の受信部１０が固有の電磁波を受信して特定のファイルの表示部１１が光って場所を作業者に知らせることができる。
【００２０】
このような検索子機７は、検索管理装置１６を介して個々の認識コード（データ）が書き込まれるものである。尚、ポケット６を検索子機７の長さよりも十分に長くし、透明素材とした場合は余剰部分に別途表示ラベル等を収容することもできる。
【００２１】
また、本考案ではファイルは厚いバインダーに揃えても良いが、必ずしも同一の規格のものに揃える必要はなく、案件毎に異なる厚みのバインダー１を選定し案件毎に厚みの異なるバインダー１を混在させて使用することもできる。
【産業上の利用可能性】
【００２２】
このような本考案は、病院のカルテ検索、定形物でファイリングできる商品、例えばビデオやＤＶＤの商品管理、一般職場や学校のストック部品や書類の管理検索において活用されるもので、特に管理書類の一件ファイルのボリュームが大きくなった場合にでも大幅なコストアップを来たすことなく簡単に対応できる。
【００２３】
また、ファイルは取付け具のサイズが共通しておれば、バインダーに制約されることなく、任意の厚みのものを混用することが出来るものであって、ファイルの１件毎のボリュームにバラツキが多い場合でも状況に応じて最適の厚みのものを柔軟に使い分けることができる利点がある。
【図面の簡単な説明】
【００２４】
【図１】本考案の１実施例の概略斜視図。
【図２】同上に第２の実施例の概略斜視図。
【図３】同上に第３の実施例の概略斜視図。
【図４】本考案を用いた検索システムの概略説明図。
【図５】同上のシステムの検索要部の拡大説明図。
【符号の説明】
【００２５】
１はバインダー
３は取付け具
４は穴
５はリーフ
６はポケット
７は検索子機
【図１】
0003125328.tif 000003
【図２】
0003125328.tif 000004
【図３】
0003125328.tif 000005
【図４】
0003125328.tif 000006
【図５】
0003125328.tif 000007